(57)【要約】【課題】中心波長が異なる３以上の可視光と、中心波長が異なる２以上の近赤外光を検出可能で、かつ製造が容易な固体撮像素子及び撮像装置を提供する。【解決手段】光電変換部１とレンズ３との間に、９００〜９８０ｎｍの光をカットする光学フィルター層４と、赤色光Ｒを透過し、６００ｎｍよりも短波長の光をカットするカラーフィルター層２Ｒが積層配置された画素１１、光電変換部１とレンズ３との間に、緑色光Ｇを透過し、５００ｎｍよりも短波長の光及び６００〜８５０ｎｍの光をカットするカラーフィルター層２Ｇが設けられた画素１２、光電変換部１とレンズ３との間に、９００〜９８０ｎｍの光をカットする光学フィルター層４と、青色光Ｂを透過し、５００〜７５０ｎｍの光をカットするカラーフィルター層２Ｂが積層配置された画素１３を備える固体撮像素子１０を、撮像装置に搭載する。【選択図】図１
2020061630.tif 000002
【特許請求の範囲】
【請求項１】
６００ｎｍよりも短波長の光をカットする層と、９００〜９８０ｎｍの光をカットする層とを備える第１画素と、
５００ｎｍよりも短波長の光及び６００〜８５０ｎｍの光をカットする層を備える第２画素と、
５００〜７５０ｎｍの光をカットする層と、９００〜９８０ｎｍの光をカットする層とを備える第３画素と、
を有する固体撮像素子。
【請求項２】
前記第２画素は、更に７５０〜９００ｎｍの光をカットする層を備える請求項１に記載の固体撮像素子。
【請求項３】
６００ｎｍよりも短波長の光をカットする層を備える第４画素と、
５００ｎｍよりも短波長の光及び６００〜８５０ｎｍの光をカットする層と、７５０〜９００ｎｍの光をカットする層とを備える第５画素と、
５００〜７５０ｎｍの光をカットする層を備える第６画素と、
を有する固体撮像素子。
【請求項４】
前記第４画素は、更に９００〜９８０ｎｍの光をカットする層を備え、
前記第６画素は、更に７５０〜９００ｎｍの光をカットする層を備える
請求項３に記載の固体撮像素子。
【請求項５】
６００ｎｍよりも短波長の光をカットする層と、９００〜９８０ｎｍの光をカットする層とを備える第７画素と、
５００ｎｍよりも短波長の光及び６００〜８５０ｎｍの光をカットする層と、７５０〜８９０ｎｍの光をカットする層とを備える第８画素と、
８９０ｎｍよりも長波長の光をカットする層と、５００〜７５０ｎｍの光をカットする層と、７００〜８００ｎｍの光をカットする層とを備える第９画素と、
を有する固体撮像素子。
【請求項６】
請求項１〜５のいずれか１項に記載の固体撮像素子を備える撮像装置。
【発明の詳細な説明】
【技術分野】
【０００１】
本発明は、可視領域の光と近赤外領域の光を検出する固体撮像素子及び撮像装置に関する。
【背景技術】
【０００２】
従来、可視領域の光と近赤外領域の光の両方を検出可能な固体撮像素子としては、例えば、赤色光（Ｒ）、緑色光（Ｇ）又は青色光（Ｂ）を検出するための画素と、近赤外光（ＮＩＲ）を検出するための画素を、同一基板上に配列したものが提案されている（例えば、特許文献１〜３参照）。
【０００３】
また、赤色光（Ｒ）、緑色光（Ｇ）又は青色光（Ｂ）と、それに対応する３種の近赤外光（ＮＩＲ−Ｒ，−Ｇ，−Ｂ）とを、それぞれ同一画素で検出する光検出装置も提案されている（特許文献４，５参照）。例えば、特許文献４に記載の光検出装置では、赤色光（Ｒ）とそれに対応する近赤外光（ＮＩＲ−Ｒ）のみを透過する光学フィルター、緑色光（Ｇ）とそれに対応する近赤外光（ＮＩＲ−Ｇ）のみを透過する光学フィルター、及び青色光（Ｂ）とそれに対応する近赤外光（ＮＩＲ−Ｂ）のみを透過する光学フィルターを備える画素が、周期的に配置されている。
【先行技術文献】
【特許文献】
【０００４】
【特許文献１】国際公開第２００７／０８６１５５号
【特許文献２】特開２００８−２４４２４６号公報
【特許文献３】特開２０１６−１７４０２８号公報
【特許文献４】国際公開第２０１５／１５９６５１号
【特許文献５】国際公開第２０１６／１５８１２８号
【発明の概要】
【発明が解決しようとする課題】
【０００５】
しかしながら、前述した従来の固体撮像素子には、以下に示す問題点がある。先ず、特許文献１〜３に記載の固体撮像素子における近赤外光検出用画素は、赤外線フィルターを設けず、ＲＧＢのカラーフィルターのみを設けることで、可視光の入射を遮断する構成となっているため、これらの固体撮像素子では特定波長の近赤外光を選択的に検出することはできない。
【０００６】
一方、特許文献４，５に記載の光検出装置は、可視領域における特定波長と近赤外領域における特定波長のみを透過し、それ以外の光を反射する光学フィルターが必要であるが、このような光学フィルターは、設計が難しく、製造プロセスも煩雑となる。
【０００７】
そこで、本発明は、中心波長が異なる３以上の可視光と、中心波長が異なる２以上の近赤外光を検出可能で、かつ製造が容易な固体撮像素子及び撮像装置を提供することを目的とする。
【課題を解決するための手段】
【０００８】
本発明に係る固体撮像素子は、６００ｎｍよりも短波長の光をカットする層と、９００〜９８０ｎｍの光をカットする層とを備える第１画素と、５００ｎｍよりも短波長の光及び６００〜８５０ｎｍの光をカットする層を備える第２画素と、５００〜７５０ｎｍの光をカットする層と、９００〜９８０ｎｍの光をカットする層とを備える第３画素とを有する。
この固体撮像素子は、前記第２画素に、更に７５０〜９００ｎｍの光をカットする層を設けてもよい。
本発明に係る他の固体撮像素子は、６００ｎｍよりも短波長の光をカットする層を備える第４画素と、５００ｎｍよりも短波長の光及び６００〜８５０ｎｍの光をカットする層と、７５０〜９００ｎｍの光をカットする層とを備える第５画素と、５００〜７５０ｎｍの光をカットする層を備える第６画素とを有する。
この固体撮像素子は、前記第４画素に、更に９００〜９８０ｎｍの光をカットする層を設け、前記第６画素に、更に７５０〜９００ｎｍの光をカットする層を設けることもできる。
本発明に係る他の固体撮像素子は、６００ｎｍよりも短波長の光をカットする層と、９００〜９８０ｎｍの光をカットする層とを備える第７画素と、５００ｎｍよりも短波長の光及び６００〜８５０ｎｍの光をカットする層と、７５０〜８９０ｎｍの光をカットする層とを備える第８画素と、８９０ｎｍよりも長波長の光をカットする層と、５００〜７５０ｎｍの光をカットする層と、７００〜８００ｎｍの光をカットする層とを備える第９画素とを有する。
【０００９】
本発明に係る撮像装置は、前述した固体撮像素子を備えるものである。
【発明の効果】
【００１０】
本発明によれば、一の画素で特定波長の可視光と特定波長の近赤外光を検出するため、製造が容易で、中心波長が異なる３以上の可視光と、中心波長が異なる２以上の近赤外光を検出可能な固体撮像素子及び撮像装置を実現することができる。
【図面の簡単な説明】
【００１１】
【図１】Ａは本発明の第１の実施形態の固体撮像素子の画素部分の概略構成を示す断面図であり、Ｂはその画素配置例を示す平面図である。
【図２】図１に示す固体撮像素子１０の各画素の検出波長を示す図である。
【図３】Ａは本発明の第２の実施形態の固体撮像素子の画素部分の概略構成を示す断面図であり、Ｂはその画素配置例を示す平面図である。
【図４】図３に示す固体撮像素子２０の各画素の波長特性を示す図である。
【図５】Ａは本発明の第３の実施形態の固体撮像素子の画素部分の概略構成を示す断面図であり、Ｂはその画素配置例を示す平面図である。
【図６】図５に示す固体撮像素子３０の各画素の波長特性を示す図である。
【図７】Ａは本発明の第４の実施形態の固体撮像素子の画素部分の概略構成を示す断面図であり、Ｂはその画素配置例を示す平面図である。
【図８】図７に示す固体撮像素子４０の各画素の検出波長を示す図である。
【図９】Ａは本発明の第５の実施形態の固体撮像素子の画素部分の概略構成を示す断面図であり、Ｂはその画素配置例を示す平面図である。
【図１０】図９に示す固体撮像素子５０の各画素の波長特性を示す図である。
【発明を実施するための形態】
【００１２】
以下、本発明を実施するための形態について、添付の図面を参照して、詳細に説明する。なお、本発明は、以下に説明する実施形態に限定されるものではない。
【００１３】
（第１の実施形態）
先ず、本発明の第１の実施形態に係る固体撮像素子について説明する。図１Ａは本発実施形態の固体撮像素子の画素部分の概略構成を示す断面図であり、図１Ｂはその画素配置例を示す平面図である。図１Ａ，Ｂに示すように、本実施形態の固体撮像素子１０は、波長特性が異なる３種の画素１１〜１３を備える。
【００１４】
［画素１１］
画素１１は、光電変換部１とレンズ３との間に、９００〜９８０ｎｍの光をカットする光学フィルター層４と、赤色光を透過し、６００ｎｍよりも短波長の光をカットするカラーフィルター層２Ｒが積層配置されている。
【００１５】
光学フィルター層４は、９００〜９８０ｎｍの光を反射又は吸収する材料で形成することができ、例えば９００〜９８０ｎｍの光の透過率が３０％以下である。光学フィルター層４の材料は、特に限定されるものではないが、例えば９００〜９８０ｎｍの範囲に最大吸収波長を有する化合物を用いて形成することができる。この画素１１では、赤色光Ｒと９００ｎｍよりも短波長の近赤外光を受光する。
【００１６】
［画素１２］
画素１２は、光電変換部１とレンズ３との間に、緑色光Ｇを透過し、５００ｎｍよりも短波長の光及び６００〜８５０ｎｍの光をカットするカラーフィルター層２Ｇが設けられている。また、画素１２には、他の画素と膜厚を揃えるため、光電変換部１とカラーフィルター層２Ｇとの間に、可視光及び近赤外光を透過する透明層５が設けられていてもよい。この画素１２では、緑色光Ｇと広帯域の近赤外光を受光する。
【００１７】
［画素１３］
画素１３は、光電変換部１とレンズ３との間に、９００〜９８０ｎｍの光をカットする光学フィルター層４と、青色光Ｂを透過し、５００〜７５０ｎｍの光をカットするカラーフィルター層２Ｂが積層配置されている。なお、画素１３に設けられた光学フィルター層４の構成は、前述した画素１１の光学フィルター層４と同じにすることができる。この画素１３では、青色光Ｂと、７５０ｎｍよりも長波長で９００ｎｍよりも短波長の近赤外光を受光する。
【００１８】
［画素配置］
前述した画素１１〜１３の配置は、特に限定されるものではないが、例えば図１Ｂに示すような繰り返し単位を有する所謂ベイヤー配列を採用することができる。
【００１９】
本実施形態の固体撮像素子１０では、各画素１１〜１３で可視光と近赤外光の両方を受光しているため、その中から特定波長の光を抽出することにより、近赤外光を利用したカラー画像の生成や、センシングを行うことができる。図２は図１に示す固体撮像素子１０の各画素の検出波長を示す図である。図２に示すように、本実施形態の固体撮像素子１０では、画素１１で赤色光Ｒと近赤外光ＩＲ−１を検出し、画素１２で緑色光Ｇと近赤外光ＩＲ−１よりも長波長の近赤外光ＩＲ−２を検出し、画素１３で青色光Ｂと近赤外光ＩＲ−１を検出することができる。
【００２０】
ここで、近赤外光ＩＲ−１は、例えば８００ｎｍ前後の光とすることができ、近赤外光ＩＲ−２は、例えば８８０〜１２００ｎｍの範囲で任意の波長の光とすることができる。
【００２１】
本実施形態の固体撮像素子は、中心波長が異なる３以上の可視光と、中心波長が異なる２以上の近赤外光を検出することができる。また、本実施形態の固体撮像素子は、一の画素で可視光と近赤外光を検出するため、各画素の構造を簡素化することができ、製造が容易となる。
【００２２】
（第２の実施形態）
次に、本発明の第２の実施形態に係る固体撮像素子について説明する。図３Ａは本発実施形態の固体撮像素子の画素部分の概略構成を示す断面図であり、図３Ｂはその画素配置例を示す平面図である。また、図４は図２に示す固体撮像素子２０の各画素の波長特性を示す図である。なお、図３においては、図１に示す固体撮像素子１０の構成要素と同じものには同じ符号を付し、その詳細な説明は省略する。
【００２３】
図３Ａ，Ｂに示すように、本実施形態の固体撮像素子２０は、画素２２に７５０〜９００ｎｍの光をカットする光学フィルター層６が設けられている以外は、前述した第１の実施形態の固体撮像素子１０と同様である。即ち、本実施形態の固体撮像素子２０の画素２２には、光電変換部１とレンズ３との間に、７５０〜９００ｎｍの光をカットする光学フィルター層６と、緑色光Ｇを透過し、５００ｎｍよりも短波長の光及び６００〜８５０ｎｍの光をカットするカラーフィルター層２Ｇが積層配置されている。
【００２４】
光学フィルター層６は、７５０〜９００ｎｍの光を反射又は吸収する材料で形成することができ、例えば７５０〜９００ｎｍの光の透過率が３０％以下である。光学フィルター層６の材料は、特に限定されるものではないが、例えば７５０〜９００ｎｍの範囲に最大吸収波長を有する化合物を用いて形成することができる。図４に示すように、画素２２では、緑色光Ｇと９００ｎｍよりも長波長の近赤外光を受光する。
【００２５】
なお、本実施形態の固体撮像素子２０における画素２１及び画素２３は、前述した第１の実施形態の画素１１及び画素１３と同じである。また、図３Ｂに示すように、画素２１〜２３の配置も、第１の実施形態と同様に、ベイヤー配列を適用することができる。
【００２６】
図４に示すように、本実施形態の固体撮像素子２０では、画素２１で赤色光Ｒと近赤外光ＩＲ−１を検出し、画素２３で青色光Ｂと近赤外光ＩＲ−１よりも長波長の近赤外光ＩＲ−２を検出し、画素２２で緑色光Ｇと近赤外光ＩＲ−２よりも長波長の近赤外光ＩＲ−３を検出する。その場合、例えば、近赤外光ＩＲ−１を７００〜８３０ｎｍの範囲で任意の波長の光とし、ＩＲ−２を８３０〜８８０ｎｍの範囲で任意の波長の光とし、ＩＲ−３を９００ｎｍよりも長波長で任意の波長の光とすることができる。
【００２７】
本実施形態の固体撮像素子は、中心波長が異なる３種の可視光と、中心波長が異なる３種の近赤外光を検出することができる。また、本実施形態の固体撮像素子は、一の画素で可視光と近赤外光を検出するため、各画素の構造を簡素化することができ、製造が容易となる。
（第３の実施形態）
次に、本発明の第３の実施形態に係る固体撮像素子について説明する。図５Ａは本発実施形態の固体撮像素子の画素部分の概略構成を示す断面図であり、図５Ｂはその画素配置例を示す平面図である。また、図６は図５に示す固体撮像素子３０の各画素の波長特性を示す図である。図５Ａ，Ｂに示すように、本実施形態の固体撮像素子３０は、波長特性が異なる３種の画素３１〜３３を備える。
【００２８】
［画素３１］
画素３１は、光電変換部１とレンズ３との間に、赤色光を透過し、６００ｎｍよりも短波長の光をカットするカラーフィルター層２Ｒが設けられている。また、画素３１には、他の画素と膜厚を揃えるため、光電変換部１とカラーフィルター層２Ｒとの間に、可視光及び近赤外光を透過する透明層５が設けられていてもよい。図６に示すように、この画素３１では、６００ｎｍ以上の可視光及び近赤外光を受光する。
【００２９】
［画素３２］
画素３２には、光電変換部１とレンズ３との間に、７５０〜９００ｎｍの光をカットする光学フィルター層６と、緑色光Ｇを透過し、５００ｎｍよりも短波長の光及び６００〜８５０ｎｍの光をカットするカラーフィルター層２Ｇが積層配置されている。なお、画素３２の特性及び材料は、前述した第２の実施形態の画素２２と同じである。
【００３０】
［画素３３］
画素３３は、光電変換部１とレンズ３との間に、青色光Ｂを透過し、５００〜７５０ｎｍの光をカットするカラーフィルター層２Ｂが設けられている。また、画素３３には、他の画素と膜厚を揃えるため、光電変換部１とカラーフィルター層２Ｂとの間に、可視光及び近赤外光を透過する透明層５が設けられていてもよい。図６に示すように、この画素３３では、青色光Ｂと、７５０ｎｍよりも長波長の近赤外光を受光する。
【００３１】
［画素配置］
前述した画素３１〜３３の配置は、特に限定されるものではないが、例えば図５Ｂに示すような繰り返し単位を有する所謂ベイヤー配列を採用することができる。
【００３２】
本実施形態の固体撮像素子では、各画素３１〜３３で可視光と近赤外光の両方を受光しているため、その中から特定波長の光を抽出することにより、近赤外光を利用したカラー画像の生成や、センシングを行うことができる。本実施形態の固体撮像素子は、中心波長が異なる３以上の可視光と、中心波長が異なる２以上の近赤外光を検出することができる。また、本実施形態の固体撮像素子は、一の画素で可視光と近赤外光を検出するため、各画素の構造を簡素化することができ、製造が容易となる。
【００３３】
（第４の実施形態）
次に、本発明の第４の実施形態に係る固体撮像素子について説明する。図７Ａは本発実施形態の固体撮像素子の画素部分の概略構成を示す断面図であり、図７Ｂはその画素配置例を示す平面図である。なお、図７においては、図５に示す固体撮像素子３０の構成要素と同じものには同じ符号を付し、その詳細な説明は省略する。
【００３４】
図７Ａ，Ｂに示すように、本実施形態の固体撮像素子４０は、画素４１に９００〜９８０ｎｍの光をカットする光学フィルター層４が設けられ、画素４３に７５０〜９００ｎｍの光をカットする光学フィルター層６が設けられている以外は、前述した第３の実施形態の固体撮像素子３０と同様である。
【００３５】
［画素４１］
画素４１は、光電変換部１とレンズ３との間に、９００〜９８０ｎｍの光をカットする光学フィルター層４と、赤色光を透過し、６００ｎｍよりも短波長の光をカットするカラーフィルター層２Ｒが積層配置されている。なお、画素４１の特性及び材料は、前述した第１の実施形態の画素１１と同じである。
【００３６】
［画素４２］
画素４２には、光電変換部１とレンズ３との間に、７５０〜９００ｎｍの光をカットする光学フィルター層６と、緑色光Ｇを透過し、５００ｍよりも短波長の光及び６００〜８５０ｎｍの光をカットするカラーフィルター層２Ｇが積層配置されている。
なお、画素４２の特性及び材料は、前述した第２の実施形態の画素２２及び第３の実施形態の画素３２と同じである。
【００３７】
［画素４３］
画素４３には、光電変換部１とレンズ３との間に、７５０〜９００ｎｍの光をカットする光学フィルター層６と、青色光Ｂを透過し、５００〜７５０ｎｍの光をカットするカラーフィルター層２Ｂが積層配置されている。そして、この画素４３では、青色光Ｂと、９００ｎｍよりも長波長の近赤外光を受光する。
【００３８】
図８は図７に示す固体撮像素子４０の各画素の検出波長を示す図である。図８に示すように、本実施形態の固体撮像素子４０では、画素４１で赤色光Ｒと近赤外光ＩＲ−１を検出し、画素４２で緑色光Ｇと近赤外光ＩＲ−１よりも長波長の近赤外光ＩＲ−２を検出し、画素４３で青色光Ｂと近赤外光ＩＲ−２を検出する。ここで、近赤外光ＩＲ−１は、例えば９００ｎｍよりも短波長の任意の近赤外光であり、ＩＲ−２は、例えば９００ｎｍよりも長波長の任意の近赤外光とすることができる。なお、本実施形態の固体撮像素子４０における上記以外の構成は、前述した第３の実施形態と同様である。
【００３９】
本実施形態の固体撮像素子は、前述した第３の実施形態の固体撮像素子よりも、高精度で、中心波長が異なる３以上の可視光と、中心波長が異なる２以上の近赤外光を検出することができる。また、本実施形態の固体撮像素子も、一の画素で可視光と近赤外光を検出するため、各画素の構造を簡素化することができ、製造が容易となる。
【００４０】
（第５の実施形態）
次に、本発明の第５の実施形態に係る固体撮像素子について説明する。図９Ａは本発実施形態の固体撮像素子の画素部分の概略構成を示す断面図であり、図９Ｂはその画素配置例を示す平面図である。また、図１０は図９に示す固体撮像素子５０の各画素の波長特性を示す図である。図９Ａ，Ｂに示すように、本実施形態の固体撮像素子５０は、波長特性が異なる３種の画素５１〜５３を備える。
【００４１】
［画素５１］
画素５１は、光電変換部１とレンズ３との間に、９００〜９８０ｎｍの光をカットする光学フィルター層４と、赤色光を透過し、６００ｎｍよりも短波長の光をカットするカラーフィルター層２Ｒが積層配置されている。この画素５１では、光入射側、即ちレンズ３側に光学フィルター層４が配置され、光電変換部１側にカラーフィルター層２Ｒが配置されている。また、画素５１には、他の画素と膜厚を揃えるため、光電変換部１とカラーフィルター層２Ｒとの間に、可視光及び近赤外光を透過する透明層５が設けられていてもよい。
【００４２】
［画素５２］
画素５２は、光電変換部１とレンズ３との間に、７５０〜８９０ｎｍの光をカットする光学フィルター層７と、緑色光Ｇを透過し、５００ｎｍよりも短波長の光及び６００〜８５０ｎｍの光をカットするカラーフィルター層２Ｇが設けられている。この画素５２では、光入射側、即ちレンズ３側に光学フィルター層７が配置され、光電変換部１側にカラーフィルター層２Ｇが配置されている。また、画素５２には、他の画素と膜厚を揃えるため、光電変換部１とカラーフィルター層２Ｇとの間に、可視光及び近赤外光を透過する透明層５が設けられていてもよい。
【００４３】
光学フィルター層７は、７５０〜８９０ｎｍの光を反射又は吸収する材料で形成することができ、例えば７５０〜８９０ｎｍの光の透過率が３０％以下である。光学フィルター層７の材料は、特に限定されるものではないが、例えば７５０〜８９０ｎｍの範囲に最大吸収波長を有する化合物を用いて形成することができる。
【００４４】
［画素５３］
画素１３は、光電変換部１とレンズ３との間に、光電変換部１側から順に、８９０ｎｍよりも長波長の光をカットする光学フィルター層９と、青色光Ｂを透過し、５００〜７５０ｎｍの光をカットするカラーフィルター層２Ｂと、７００〜８００ｎｍの光をカットする光学フィルター層８が積層配置されている。光学フィルター層８は、７００〜８００ｎｍの光を反射又は吸収する材料で形成することができ、例えば７００〜８００ｎｍの光の透過率が３０％以下である。光学フィルター層８の材料は、特に限定されるものではないが、例えば７００〜８００ｎｍの範囲に最大吸収波長を有する化合物を用いて形成することができる。
【００４５】
また、光学フィルター層９は、８９０ｎｍよりも長波長の光を反射又は吸収する材料で形成することができ、例えば８９０ｎｍよりも長波長の光の透過率が３０％以下である。この画素５３では、８００ｎｍよりも長波長で、かつ、８９０ｎｍよりも短波長の近赤外光を受光する。
【００４６】
［画素配置］
前述した画素５１〜５３の配置は、特に限定されるものではないが、例えば図９Ｂに示すような繰り返し単位を有する所謂ベイヤー配列を採用することができる。
【００４７】
図１０に示すように、本実施形態の固体撮像素子５０では、例えば、画素５１で７００〜８００ｎｍの範囲で任意の近赤外光を検出し、画素５３で８４０ｎｍ前後の近赤外光を検出し、画素５２で９００ｎｍよりも長波長で任意の近赤外光を検出することができる。
【００４８】
以上詳述したように、本実施形態の固体撮像素子では、中心波長が異なる３以上の可視光と、中心波長が異なる２以上の近赤外光を検出することができる。また、本実施形態の固体撮像素子は、一の画素で可視光と近赤外光を検出するため、各画素の構造を簡素化することができ、製造が容易となる。
【００４９】
（第６の実施形態）
次に、本発明の第６の実施形態に係る撮像装置について説明する。本実施形態の撮像装置は、前述した第１〜第５の実施形態の固体撮像素子を備えるものであり、この固体撮像素子から出力した信号に基づき、各種画像を生成する。
【符号の説明】
【００５０】
１  光電変換部
２Ｒ、２Ｇ、２Ｂ  カラーフィルター層
３  レンズ
４、７〜９  光学フィルター層
５  透明層
１０、２０、３０、４０、５０  固体撮像素子
１１〜１３、２１〜２３、３１〜３３、４１〜４３、５１〜５３  画素
【図１】
2020061630.tif 000003
【図２】
2020061630.tif 000004
【図３】
2020061630.tif 000005
【図４】
2020061630.tif 000006
【図５】
2020061630.tif 000007
【図６】
2020061630.tif 000008
【図７】
2020061630.tif 000009
【図８】
2020061630.tif 000010
【図９】
2020061630.tif 000011
【図１０】
2020061630.tif 000012